(57)【要約】【課題】収納庫内外のＶＯＣ及び／又は臭気収物質を除去することが出来て、収納庫の収納スペースを減少することが無い収納庫隔壁の構造の提供。【解決手段】孔（４１ａ、４１ｂ）が形成された外板（４１）と、該外板（４１）の内側から着脱可能に取付けられ且つ孔（４３ａ）が形成されている内板（４３）と、前記外板（４１）と内板（４３）との間に挿入された揮発性有機化合物除去部材（ＶＯＣ除去部材：５）とを有している。【選択図】図３
0003104558.tif 000002
【実用新案登録請求の範囲】
【請求項１】
孔が形成された外板と、該外板の内側から着脱可能に取付けられ且つ孔が形成されている内板と、前記外板と内板との間に挿入された揮発性有機化合物除去部材、とを有することを特徴とする収納庫隔壁の構造。
【請求項２】
前記外板には比較的に大きい矩形状の孔が多数形成されている請求項１の収納庫隔壁の構造。
【請求項３】
前記内板には比較的小さい多数の孔が設けられている請求項１、２の何れかに記載の収納庫隔壁の構造
【請求項４】
前記外板は平板状であり、前記内板は外板の内側に固着手段で外側で固着するために断面がＺ字状に折り曲げられた部分を有している請求項１〜３の何れか１項に記載の収納庫隔壁の構造。
【請求項５】
隔壁で扉である請求項１〜４の何れか１項に記載の収納庫隔壁の構造。
【考案の詳細な説明】
【技術分野】
【０００１】
本考案は、例えばロッカーやキャビネット等の収納庫における隔壁の構造、即ち、収納庫正面の扉、側面、背面、天板、底板の構造に関する。
【背景技術】
【０００２】
近年、揮発性有機化合物（ＶＯＣ）の影響について関心が高まっており、ロッカーやキャビネット、その他の各種収納庫についても、ＶＯＣの発生を抑制することが要求される事例が存在する。同様に、収納庫の周辺環境におけるＶＯＣの量を削減することが望まれている。
【０００３】
これに対して、例えば、ＶＯＣの除去する機能を有する材料が提案されているが、収納庫内部や、収納庫が設けられている雰囲気（周辺環境）のＶＯＣを除去或いは抑制するための具体的な手法については、十分に開発されているとは言い得ない状況にある。
例えば、ＶＯＣの削減のために、ＶＯＣを吸着して除去する材料を充填した容器を収納庫内部に配置しておくことが考えられるが、係る容器のみではＶＯＣの除去には不十分であるし、当該容器の分だけ収納庫内部の収納空間が小さくなってしまうという不都合が存在する。それに加えて、当該容器内のＶＯＣ除去材料により収納庫内部の収納空間におけるＶＯＣを除去することが出来ても、収納庫周辺環境におけるＶＯＣを削減することは困難である。
【０００４】
一方、収納庫内部の臭気の問題についても、ユーザーの関心は、以前から高い。例えば、衣類や用具を収納するための収納庫の場合、衣類等の収納物から発散する汗臭や体臭の原因であるアンモニア等が多量に存在する場合があり、悪臭の原因となっている。特に運動用の衣類や用具を収納する場合には臭気が強く、改善が望まれている。
その様な悪臭に対処するため、各種収納庫内部に臭気発生する物質を除去する脱臭剤を設置する事例が存在した。
しかし、単に脱臭剤を設置する程度では、収納庫内部の悪臭除去には不十分である。また、大量の脱臭剤を設置することは、収納庫内のスペースの点で問題がある。
【考案の開示】
【考案が解決しようとする課題】
【０００５】
本考案は上述した従来技術の問題点に鑑みて提案されたものであり、収納庫内部及び収納庫周辺環境におけるＶＯＣ量及び／又は悪臭源である臭気物の量を削減することが出来て、ＶＯＣ及び／又は臭気物を除去するのに必要な量の除去部材を必要以上にスペースを費やすこと無く設置することができる収納庫隔壁の構造を提供することを目的としている。
【課題を解決するための手段】
【０００６】
本考案の収納庫隔壁の構造は、孔（４１ａ、４１ｂ）が形成された外板（４１）と、該外板（４１）の内側から着脱可能に取付けられ且つ孔（４３ａ）が形成されている内板（４３）と、前記外板（４１）と内板（４３）との間に挿入された揮発性有機化合物除去部材（ＶＯＣ除去部材：例えば、吸収シート５）とを有することを特徴としている（請求項１）。
ここで、「収納庫」なる文言は、例えば、ロッカー、キャビネット、書庫、金庫、食器棚、その他の収納用の家具や各種収納設備を全て包含する趣旨で、本明細書では使用されている。
また、揮発性有機化合物除去部材（ＶＯＣ除去部材）は、ＶＯＣ及び／又は悪臭源である臭気物を除去（吸着や吸収による除去のみならず、分解その他の作用を奏する場合も含む）する機能を有する材質全てを包含する趣旨の文言である。換言すれば、本明細書において、揮発性有機化合物除去部材（ＶＯＣ除去部材）は、ＶＯＣ及び／又は悪臭を除去する部材である。
そして、係るＶＯＣ除去部材は、ＶＯＣ及び／又は臭気物質を除去する作用を持つ物質を含浸し或いは練り込んだ板状部材（例えば、吸収シート５）とで構成することが可能である。或いは、ＶＯＣ及び／又は臭気物質を除去する作用を持つ物質を板状（シート状）に加工し他の材質で挟み込んで構成することも可能であり、ＶＯＣ及び／又は臭気物質を除去する作用を持つ物質で他の材質の板状部材を包囲し、挟み込み、或いは被覆して構成することも可能である。
【０００７】
前記外板は、比較的大きな矩形状の孔（４１ａ）を多数形成するのが好ましい（請求項２）。しかし、1つの大きな孔（４１ｃ、４１ｄ）を設けてもよい。そして、内板（４３）は比較的小さい円形の孔（４３ａ）を多数設けるのが好ましい（請求項３）。
【０００８】
前記外板は平板状であり、前記内板は外板の内側に固着手段で外側で固着するために断面がＺ字状に折り曲げられた部分を有しているのが好ましい（請求項４）。
【０００９】
本考案において、収納庫隔壁は、例えば、収納庫の扉である（請求項５）。
【００１０】
当該隔壁、すなわち前記ＶＯＣ除去部材（例えば吸収シート５）を収納可能にする隔壁（パネル）は、収納庫の正面扉（４）とすることが好ましいが、収納庫（収納室１）の背面（パネル）でも、側面（パネル）でも、収納庫の壁面の何れかの箇所の1箇所又は複数箇所に実施できる。勿論、収納庫（１）同士の区切り（仕切り）の隔壁にも実施出来る。
収納庫には、「框」と称される化粧板（６）のあるものとないものとがあるが、何れの形式のものでも実施できる。
【考案の効果】
【００１１】
上述した構成を具備した本考案の収納庫隔壁の構造によれば、外板（４１）に形成した孔（４１ａ、４１ｂ）と内板（４３）に形成した孔（４３ａ）により、収納庫内外のＶＯＣ及び／又は臭気物をＶＯＣ除去部材（例えば吸収シート５）で除去することが出来るので、収納庫の内部空間や、収納庫の周辺環境におけるＶＯＣ及び／又は悪臭を除去、削減することが出来る。
そして、ＶＯＣ除去部材は収納庫隔壁（例えば扉）の外板（４１）と内板（４３）との間の空間に挿入されるので、ＶＯＣ除去部材の設置についてスペースの問題が生じることは無く、収納庫の収納能力に悪影響を及ぼしてしまうこともない。
【００１２】
また、ＶＯＣ除去部材（例えば吸収シート５）自体を着色して好感度の高い色彩とせしめることにより、孔（４１ａ、４１ｂ、４１ｃ）を通じて当該好感度の高い色彩（ＶＯＣ除去部材の色彩）を外部から観察することが可能となり、収納庫に美観を持たせることが出来る。その意味で、孔（４１ａ、４１ｂ、４１ｃ）の形成に際しては、美的な形状及び／又は配列とすることが好ましい。
或いは、ＶＯＣ除去部材におけるＶＯＣ及び／又は臭気物の除去能力が減衰するに連れて、ＶＯＣ除去部材の色彩が薄くなるように構成しても良い。その様に構成することによって、吸収シート（５）の交換をタイムリーに行うことが可能となる。
【考案を実施するための最良の形態】
【００１３】
以下、添付図面を参照して、本考案の実施形態について説明する。
なお、図示の実施形態では、収納庫の例として、ロッカーが示されている。
先ず、図１〜図４を参照して、実施形態の第１の実施例を説明する。
図１において、上述した様な隔壁構造の扉を有する収納庫（ロッカー）の集合体Ｒ１は、上下２段、左右３列の６個の個別収納庫（個別のロッカー）１と、上下段を仕切る図示しない水平仕切り板と、収納庫集合体Ｒ１の図示しない左右側壁と、隣り合う個別収納庫１を仕切る図示しない側壁と、天井部材２と、床部材３とで構成されている。
【００１４】
また、図１では、正面の扉部材４が見えており、その扉部材４の裏面にはＶＯＣ及び臭気物質を吸着、除去する能力を有する物質を含浸又は煉り込んだ板状部材（ＶＯＣ除去部材：吸収シート）５が、後述する構造によって収容可能なように構成されている。
【００１５】
図２は、個別収納庫１の正面扉部材４を示した正面図である。その扉部材４は、図示の例では、扉部材４の前面（後述する外板４１）の左辺近傍で上下の中央部に鍵機構を有する取手部４４が形成されている。
さらに、扉部材４の前面（後述する外板４１）の左右方向の中央寄りには上下方向に１列に配置された図示の例では矩形のやや大きめの孔４１ａが複数開口している。そのやや大きめの孔４１ａの両脇には、そのやや大きめの孔４１ａと千鳥の関係であって、上下方向に２列に配置されたやや小さめの複数の孔４１ｂが複数開口している。
【００１６】
図２のＸ-Ｘ断面図である図３と、当該扉部材４を裏面上方から見た図４（斜視図）を参照して、扉部材４の構成を詳しく説明する。
【００１７】
扉部材４は、前記外板４１と、断面がクランク状の２本の襠（まち）部材４２と、内板４３と、２本の襠部材４２と内板４３とを締結させる複数のビス４５とによって構成されている。
【００１８】
前記断面がクランク状の２本の襠（まち）部材４２は、外板４１の裏面の左右方向に、所定の距離を置いて向き合い、上下方向に部材の長さ方向に延在するように図示の例では溶接によって外板４１に固着されている。
内板４３は、その２本の襠部材４２の、外板４１より突出し外板と平行な面に橋渡すように当接させて取り付けられている。
そして、襠部材４２と内板４３とは前記複数のビス４５によって締結されている。
【００１９】
従って、図３に示すように、外板４１と、２本の襠部材４２と、内板４３とによって、矩形で袋状の空間Ｓが形成される。そして、その空間ＳにＶＯＣ及び臭気物を除去する物質を含浸又は練り込んだ板状部材（吸収シート）５を収納するように構成されている。
【００２０】
前記内板４３は図示の例では、基本断面が、僅かな高低差を有するハット形状断面に形成され、中央凸部が外板４１方向に近づくように襠部材４２に取り付けられている。
内板４３におけるハット断面の鍔に相当する取付面４３ｂを除いては、略々全面に渡り、多数の円形小孔４３ａが形成されている。
或いは、内板４３は、無数の小孔が予め成形された部材（いわゆる「パンチングメタル」）によって構成されていてもよい。
【００２１】
上述した構成及び構造の収納庫隔壁の構造によれば、外板４１に形成した孔４１ａ、４１ｂと内板４３に形成した孔４３ａを介して、ＶＯＣ及び／又は臭気を除去する機能を有する吸収シート５（ＶＯＣ除去部材）により、収納庫内外のＶＯＣ及び／又は臭気を除去することが出来る。そして、収納庫の内部に特別な部材を設置する必要が無いため、収納庫の内部スペースに関して、問題が生じることはない。
【００２２】
ここで、吸収シート５自体を着色することにより、外板４１に形成した孔４１ａ、４１ｂ、４１ｃを通じて美観を持たせることが出来る。
或いは、吸収シート５のＶＯＣ及び／又は臭気物の分解能力の減衰に応じて着色が薄れるようにしてもよい。そのようにすることによって、吸収シート５の交換がタイムリーに行うことが出来る。
【００２３】
なお、吸収シート５（ＶＯＣ除去部材）を収納可能にする隔壁（パネル）は、収納庫の正面扉（扉部材）４とすることが好ましいが、個別収納庫（収納室）１の背面（パネル）でも、側面（パネル）でも、収納庫の壁面の何れかの箇所の1箇所又は複数箇所に実施できる。
勿論、個別の収納庫１同士の区切り（仕切り）の隔壁にも実施出来る。
【００２４】
図１〜図４の第１の実施例では、扉部材１の大きな構成部材として、外板４１と、断面がＺ状に折り曲げられた２本の襠（まち）部材４２と、内板４３とを有している。
それに対して、図５〜図７で示す変形例では、襠部材を省略し、第１の実施例で示した襠部材４２と内板４３を一体化したような基本断面がハット状の内板４３Ａと外板４１とで構成した実施例である。
【００２５】
その内板４３Ａは、取付面である左右両端のフランジ面４３Ａｆに矩形の小孔４３Ａｇが形成されている。
【００２６】
一方、外板４１の所定の位置には、図７に詳細を示すように、クランク状に折り曲げられた複数の爪部材４６が例えばスポット溶接等によって固設してあり、その複数の爪部材４６に前記内板４３Ａのフランジ面４３Ａｆに形成された小孔４３Ａｇを係合させる（引っ掛ける）ことによって、内板４３Ａを外板４１に取付けられるように構成されている。
【００２７】
外板４１の裏面に取付けた複数の爪部材４６に前記内板４３Ａのフランジ面４３Ａｆに形成された小孔４３Ａｇを係合させる（引っ掛ける）ことによって、内板４３Ａを外板４１に取付けられるように構成されているため、ビスなどの締結部材を工具を使って取付けることもなく、吸収シート５の交換が極めて容易になる。
【００２８】
上述した構成以外は、図１から図４の第１の実施例と同様であり、従って、第１の実施例と同様の作用・効果が得られる。
【００２９】
図８〜図１１は、外板の表面に形成された吸収シート５によりＶＯＣ及び／又は臭気物質を吸着、除去するための孔の変形例を示したものである。
【００３０】
図１〜図４の第１の実施例では外板４１表面の当該孔として複数の孔４１ａ、４１ｂが形成されていたのに対して、図８及び図９の変形例では共に当該の孔は１箇所の扉部材に対して１個の孔のみが形成された実施例である。
【００３１】
即ち、図８の例では、３段２列の収納庫集合体Ｒ２の個別収納庫の各扉部材の外板４１Ｃには１箇所の孔４１ｃが形成されている。尚、図８の例では収納庫集合体Ｒ２の床部材には化粧部材である框６が使用されている。
【００３２】
図９の例では、２段３列の収納庫集合体Ｒ３の個別収納庫の各扉部材の外板４１Ｄには１箇所の孔４１ｄが形成されている。
【００３３】
図１０の変形例では、扉部材の外板４１Ｅに、孔の大きさが次第に拡大及び縮小する複数の孔の列４１ｅを２列設けた実施例である。
【００３４】
図１１の変形例では、扉部材の外板４１Ｇに、多数の孔（図示の例では矩形孔）が全体として台形状や三角形に寄り集められて穿孔された幾何学模様４１ｇ、４１ｋを連続或いは離して配置した実施例である。
【００３５】
図８〜図１１の各変形例の、上述以外の構成及び作用効果は、図１〜図４及び図５〜図７の実施例と実質的に同様である。
【００３６】
図示の実施形態はあくまでも例示であり、本考案の技術的範囲を限定する趣旨の記述ではない。
例えば、外板に形成される（ＶＯＣ及び／又は臭気を吸着、除去するための）孔の形状、大きさ、個数に関しては、図示に限定されるものではない。
また、図５〜図７で示した実施例において、爪部材を設ける代わりに、外板に複数のコ字状の切れ込みを設け、外板の裏面側に爪状に起こしてもよい。
さらに、図示の実施形態では、収納庫としてロッカーが示されているが、キャビネット、書庫、その他の収納庫に図示の実施形態を適用出来ることは勿論である。
【図面の簡単な説明】
【００３７】
【図１】本考案の実施形態に係る第１の実施例の収納庫集合体の全体を示す正面図。
【図２】本考案の実施形態に係る第１の実施例の個別収納庫の扉部材の正面図。
【図３】図２のＸ−Ｘ断面図。
【図４】本考案の実施形態に係る第１の実施例の個別収納庫の扉部材の裏面側を示す斜視図。
【図５】本考案の実施形態に係る変形例の扉部材の断面図。
【図６】本考案の実施形態に係る変形例の扉部材の裏面側を示す斜視図。
【図７】本考案の実施形態に係る変形例の外板に設けられた爪部材を説明する斜視図。
【図８】扉部材に１個のみ形成された孔の変形例を示す斜視図。
【図９】扉部材に１個のみ形成された孔の別の変形例を示す斜視図。
【図１０】扉部材に形成された複数の孔の変形例を示す扉部材正面図。
【図１１】扉部材に形成された複数の孔の別の変形例を示す扉部材正面図。
【符号の説明】
【００３８】
Ｒ１、Ｒ２、Ｒ３・・・収納庫集合体
１・・・個別収納庫
２・・・天井部材
３・・・床部材
４・・・扉部材
４１・・・外板
４１ａ、４１ｂ・・・孔
４２・・・襠部材
４３・・・内板
４３ａ・・・孔
４４・・・取手部
４５・・・ビス
【図１】
0003104558.tif 000003
【図２】
0003104558.tif 000004
【図３】
0003104558.tif 000005
【図４】
0003104558.tif 000006
【図５】
0003104558.tif 000007
【図６】
0003104558.tif 000008
【図７】
0003104558.tif 000009
【図８】
0003104558.tif 000010
【図９】
0003104558.tif 000011
【図１０】
0003104558.tif 000012
【図１１】
0003104558.tif 000013